(57)【要約】【課題】モータから発生する異音が小さい光学機器を提供する。【解決手段】モータＭがモータ固定ビス５１により駆動基板１０に固定されている第１の支持部の他に、モータＭは、第２の支持部により支持されている。この第２の支持部は、吸音材６１により形成されている。吸音材６１は、第１の支持部から最も離れた位置であって、第１の支持部に対して相対する対面に相当する位置であるモータＭの出力側とは逆側の端面に設けられている。本実施例における吸音材６１は、スポンジ、ウレタンフォームなどの発泡材料であり、モータＭの発生する騒音を吸収する作用を有している。【選択図】図１
2005141015.tif 000002
【特許請求の範囲】
【請求項１】
被駆動体を駆動するモータと、
前記モータを支持する第１の支持部と、
前記第１の支持部とは異なる位置において前記モータを支持する第２の支持部と、
を有する光学機器。
【請求項２】
請求項１に記載の光学機器において、
前記第２の支持部は、前記第１の支持部から最も離れた位置において前記モータを支持すること、
を特徴とする光学機器。
【請求項３】
請求項１又は請求項２に記載の光学機器において、
前記第２の支持部は、前記第１の支持部に対して相対する対面に相当する位置において前記モータを支持すること、
を特徴とする光学機器。
【請求項４】
請求項１に記載の光学機器において、
前記第１の支持部は、前記モータの回転軸に略直交する面において前記モータを支持し、
前記第２の支持部は、前記モータの回転軸に略沿う面において前記モータを支持すること、
を特徴とする光学機器。
【請求項５】
請求項１から請求項４までのいずれか１項に記載の光学機器において、
前記第１の支持部は、前記モータの出力軸付近にあって、前記モータをビスにより固定支持する部分であること、
を特徴とする光学機器。
【請求項６】
請求項５に記載の光学機器において、
前記第２の支持部は、前記モータのまわりの他の部材との間に設けられた吸音材であること、
を特徴とする光学機器。
【請求項７】
請求項５に記載の光学機器において、
前記第２の支持部は、前記モータのまわりの他の部材との間に設けられた弾性材であること、
を特徴とする光学機器。
【請求項８】
請求項５に記載の光学機器において、
前記第２の支持部は、前記モータのまわりの他の部材との間に設けられた弾性接着剤であること、
を特徴とする光学機器。
【請求項９】
請求項６から請求項８までのいずれか１項に記載の光学機器において、
前記第２の支持部は、前記モータと前記他の部材との間の隙間を埋めるように配置されていること、
を特徴とする光学機器。
【請求項１０】
請求項５に記載の光学機器において、
前記第２の支持部は、前記モータのまわりの他の部材に対して前記モータをビスにより固定支持する部分であること、
を特徴とする光学機器。
【発明の詳細な説明】
【技術分野】
【０００１】
本発明は、カメラ等の光学機器に関するものである。
【背景技術】
【０００２】
カメラ及びビデオカメラ等は、その性格上、撮影するためにレンズを駆動したり、フィルム及びテープ等を給送したりする必要がある。この機構を達成するために、その駆動源としてモータが使用される。その回転力は、伝達系を経て最終端にあるレンズ駆動部等で適正な回転力として得られる。これを達成するために、モータからレンズ駆動部等の間にギア列（減速機構）が構成され、それを支持するため駆動基板も必要となる。通常、レンズ等を駆動すると前に示した駆動機構のあらゆる部分、具体的には、駆動基板のギア摺動部、モータ、また各構造物の振動等により、感覚的に耳障りとなる異音（摺動音）が発生する。
特に、モータから発生する駆動音及び振動は、モータ自体がその発生源であるため、非常に大きく、他部分への影響も大きい。
【０００３】
これらの音は、カメラ及びビデオ等を静かな場所で使用している時、若干の起動音でも非常に大きく聴こえ、撮影者のみでなく周囲の人達にも多大な影響を与えるという問題があった。
また、ビデオカメラ、及び、デジタルカメラの動画撮影時の録音データにもこれらの音が録音されてしまうという問題があった。
【０００４】
特許文献１には、ギア列の軸部分を改良してその部分の撓み、振動を軽減する手法が提案されている。
しかし、ギア列部分について静音化の対策を行っても、モータから発生する騒音については、低減されていなかった。
【特許文献１】特開２００２−３５１２８４号公報
【発明の開示】
【発明が解決しようとする課題】
【０００５】
本発明の課題は、モータから発生する異音が小さい光学機器を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、被駆動体を駆動するモータ（Ｍ）と、前記モータを支持する第１の支持部（５１）と、前記第１の支持部とは異なる位置において前記モータを支持する第２の支持部（６１，６２，６３）と、を有する光学機器である。
【０００７】
請求項２の発明は、請求項１に記載の光学機器において、前記第２の支持部（６１，６２，６３）は、前記第１の支持部（５１）から最も離れた位置において前記モータ（Ｍ）を支持すること、を特徴とする光学機器である。
【０００８】
請求項３の発明は、請求項１又は請求項２に記載の光学機器において、前記第２の支持部（６１，６２，６３）は、前記第１の支持部（５１）に対して相対する対面に相当する位置において前記モータ（Ｍ）を支持すること、を特徴とする光学機器である。
【０００９】
請求項４の発明は、請求項１に記載の光学機器において、前記第１の支持部（５１）は、前記モータ（Ｍ）の回転軸に略直交する面において前記モータを支持し、前記第２の支持部（６１，６２，６３）は、前記モータの回転軸に略沿う面において前記モータを支持すること、を特徴とする光学機器である。
【００１０】
請求項５の発明は、請求項１から請求項４までのいずれか１項に記載の光学機器において、前記第１の支持部（５１）は、前記モータの出力軸付近にあって、前記モータ（Ｍ）をビス（５１）により固定支持する部分であること、を特徴とする光学機器である。
【００１１】
請求項６の発明は、請求項５に記載の光学機器において、前記第２の支持部（６１，６２）は、前記モータ（Ｍ）のまわりの他の部材（４０）との間に設けられた吸音材であること、を特徴とする光学機器である。
【００１２】
請求項７の発明は、請求項５に記載の光学機器において、前記第２の支持部（６１，６２）は、前記モータ（Ｍ）のまわりの他の部材（４０）との間に設けられた弾性材であること、を特徴とする光学機器である。
【００１３】
請求項８の発明は、請求項５に記載の光学機器において、前記第２の支持部（６１，６２）は、前記モータ（Ｍ）のまわりの他の部材（４０）との間に設けられた弾性接着剤であること、を特徴とする光学機器である。
【００１４】
請求項９の発明は、請求項６から請求項８までのいずれか１項に記載の光学機器において、前記第２の支持部（６１，６２）は、前記モータ（Ｍ）と前記他の部材（４０）との間の隙間を埋めるように配置されていること、を特徴とする光学機器である。
【００１５】
請求項１０の発明は、請求項５に記載の光学機器において、前記第２の支持部（６３）は、前記モータ（Ｍ）のまわりの他の部材（４０）に対して前記モータをビス（６３）により固定支持する部分であること、を特徴とする光学機器である。
【発明の効果】
【００１６】
本発明によれば、以下の効果を奏することができる。
（１）第１の支持部とは異なる位置においてモータを支持する第２の支持部を有するので、モータ自体の振動を抑えることができ、モータから生じる騒音を低減することができる。
【００１７】
（２）第２の支持部は、第１の支持部から最も離れた位置、第１の支持部に対して相対する対面に相当する位置においてモータを支持するので、モータの振動を効果的に抑えることができる。
【００１８】
（３）第２の支持部は、モータの回転軸に略沿う面においてモータを支持するので、モータの振動の腹に近いところを支持することができ、振動を効果的に抑えることができる。
【００１９】
（４）第１の支持部は、モータの出力軸付近にあって、モータをビスにより固定支持する部分であるので、出力軸の位置を正確かつ確実に固定することができる。
【００２０】
（５）第２の支持部は、モータのまわりの他の部材との間に設けられた吸音材であるので、モータが発生する騒音を吸収して、騒音を低減することができる。
【００２１】
（６）第２の支持部は、モータのまわりの他の部材との間に設けられた弾性材であるので、モータの振動がまわりに伝わりにくくなり、モータ及びまわりの部材が振動することによる騒音を低減することができる。
【００２２】
（７）第２の支持部は、モータのまわりの他の部材との間に設けられた弾性接着剤であるので、モータを簡単かつ確実に固定することができるとともに、騒音を低減することができる。
【００２３】
（８）第２の支持部は、モータと他の部材との間の隙間を埋めるように配置されているので、騒音の低減効果を高めることができる。
【００２４】
（９）第２の支持部は、モータのまわりの他の部材に対してモータをビスにより固定支持する部分であるので、モータ自身の振動をより確実に抑えることができる。
【発明を実施するための最良の形態】
【００２５】
モータから発生する異音を小さくするという目的を、モータを支持する部位を増やすことにより実現した。
【実施例１】
【００２６】
図１は、本発明の実施例１の光学機器の駆動部付近を示す断面図である。
本実施例における光学機器は、カメラであって、以下に説明する駆動部は、レンズ鏡筒を駆動する部分である。
本実施例における駆動部は、モータＭ，駆動基板１０，ピニオンギア２１，減速ギア２２，２３，２４，出力ギア２５，基板蓋３０，本体４０，モータ固定ビス５１，駆動基板固定ビス５２，基板蓋固定ビス５３等を有している。
【００２７】
モータＭは、通電することにより回転駆動するモータであり、モータ固定ビス５１により駆動基板１０に固定されている。このモータ固定ビス５１により駆動基板１０に固定されている部分を、第１の支持部とする。
本実施例におけるモータＭの通常の使用状態における回転数は、５０００から２５０００ｒｐｍの範囲内である。この範囲の回転数は、光学機器のモータにおいて常用される範囲である。
駆動基板１０は、駆動部の土台となっているプラスチック製の固定部であり、駆動基板固定ビス５２により本体４０に固定されている。また、駆動基板１０には、軸２２ａ，２３ａ，２４ａが設けられている。なお、これらの軸２２ａ，２３ａ，２４ａは、駆動基板１０と同じプラスチックにより一体で形成されていてもよいし、別部品を取り付ける形態であってもよい。
駆動基板１０は、一面が開口された略直方体形状をしており、その開口部分は、基板蓋固定ビス５３を用いて基板蓋３０を固定することにより塞がれている。
【００２８】
ピニオンギア２１は、モータＭの出力軸に圧入されており、減速ギア２２とかみ合っている。
減速ギア２２，２３，２４は、それぞれがかみ合い、ピニオンギア２１から得られた回転駆動力を減速して出力ギア２５へ伝える段ギアである。
出力ギア２５は、減速ギア２４とかみ合っており、減速ギア２２，２３，２４により減速されて伝えられたモータＭが発生した駆動力を出力軸２５ａから駆動部外に設けられた不図示の被駆動体へ伝えるギアである。
本体４０は、カメラ本体である。
【００２９】
本実施例では、先に示した第１の支持部（モータＭがモータ固定ビス５１により駆動基板１０に固定されている部分）の他に、モータＭは、第２の支持部により支持されている。本実施例における第２の支持部は、吸音材６１により形成されている。吸音材６１は、第１の支持部から最も離れた位置であって、第１の支持部に対して相対する対面に相当する位置であるモータＭの出力側とは逆側の端面に設けられている。本実施例における吸音材６１は、スポンジ、ウレタンフォームなどの発泡材料であり、モータＭの発生する騒音を吸収する作用を有している。
【００３０】
ここで、本実施例の効果を確認するために、モータＭを実際に駆動して、発生する騒音を測定した。
また、比較のために、第２の支持部を設けていないもの（比較例とする）についても、他の条件を同一として発生する騒音を測定した。
図５は、比較例を基準として示した実施例の騒音の測定結果である。
本実施例では、吸音材６１により第２の支持部を形成したことにより、騒音を６ｄＢＡ軽減することができた。
【実施例２】
【００３１】
図２は、本発明の実施例２の光学機器の駆動部付近を示す断面図である。
実施例２は、実施例１の第２の支持部の形態を変更した例であるので、前述した実施例１と同様の機能を果たす部分には、同一の符号を付して、重複する説明を適宜省略する。
本実施例における第２の支持部は、吸音材６２により形成されている。吸音材６２は、モータＭの回転軸に略沿う面である外周面に沿って巻きつけられ、かつ、本体４０との隙間を埋めるようにすることによりモータＭを支持している。なお、吸音材６２は、実施例１における吸音材６１と同じ材料により形成されている。
図５に、比較例を基準として示した実施例２の騒音の測定結果を示す。
本実施例では、吸音材６２により第２の支持部を形成したことにより、騒音を５ｄＢＡ軽減することができた。
【実施例３】
【００３２】
図３は、本発明の実施例３の光学機器の駆動部付近を示す断面図である。
実施例３は、実施例１の第２の支持部の形態を変更した例であるので、前述した実施例１と同様の機能を果たす部分には、同一の符号を付して、重複する説明を適宜省略する。
実施例３では、実施例１における吸音材６１と、実施例２における吸音材６２の両方を第２の支持部として設けた例である。
図５に、比較例を基準として示した実施例３の騒音の測定結果を示す。
本実施例では、吸音材６１，６２により第２の支持部を形成したことにより、騒音を７ｄＢＡ軽減することができた。
【実施例４】
【００３３】
図４は、本発明の実施例４の光学機器の駆動部付近を示す断面図である。
実施例４は、実施例１の第２の支持部の形態を変更した例であるので、前述した実施例１と同様の機能を果たす部分には、同一の符号を付して、重複する説明を適宜省略する。
本実施例における第２の支持部は、モータＭのまわりの本体４０に対してモータＭをモータ固定ビス６３により固定支持する部分により形成されている。モータ固定ビス６３は、第１の支持部から最も離れた位置であって、第１の支持部に対して相対する対面に相当する位置であるモータＭの出力側とは逆側の端面において、モータＭを本体４０に対して固定している。
図５に、比較例を基準として示した実施例４の騒音の測定結果を示す。
本実施例では、第１の支持部（モータＭがモータ固定ビス５１により駆動基板１０に固定されている部分）のほかに、第２の支持部（モータＭがモータ固定ビス６３により本体４０に固定されている部分）によりモータＭを固定したので、モータの第１の支持部と反対側が振れて大きく振動することを防止することができ、騒音を７ｄＢＡ軽減することができた。
（変形例）
【００３４】
以上説明した実施例に限定されることなく、種々の変形や変更が可能であって、それらも本発明の均等の範囲内である。
例えば、実施例１から実施例３において、第２の支持部として、スポンジ、ウレタンフォームなどの発泡材料からなる吸音材を用いた例を示したが、これに限らず、例えば、ゴムなどの弾性材を用いてもよいし、弾性接着剤を用いてもよい。
【図面の簡単な説明】
【００３５】
【図１】本発明の実施例１の光学機器の駆動部付近を示す断面図である。
【図２】本発明の実施例２の光学機器の駆動部付近を示す断面図である。
【図３】本発明の実施例３の光学機器の駆動部付近を示す断面図である。
【図４】本発明の実施例４の光学機器の駆動部付近を示す断面図である。
【図５】比較例を基準として示した実施例の騒音の測定結果である。
【符号の説明】
【００３６】
１０  駆動基板
２１  ピニオンギア
２２，２３，２４  減速ギア
２５  出力ギア
３０  基板蓋
４０  本体
５１  モータ固定ビス
５２  駆動基板固定ビス
５３  基板蓋固定ビス
６１  吸音材
６２  吸音材
６３  モータ固定ビス
Ｍ  モータ
【図１】
2005141015.tif 000003
【図２】
2005141015.tif 000004
【図３】
2005141015.tif 000005
【図４】
2005141015.tif 000006
【図５】
2005141015.tif 000007